(57)【要約】【課題】エレベータの昇降路平面寸法の増大を抑制し、かつ、部品コストの削減および設置作業時間の短縮が可能な、エレベータの安全装置を得る。【解決手段】エレベータに設置され、保守点検作業をする作業者が釣合いおもり（３）の下方領域へ侵入することを抑制するエレベータの安全装置であって、エレベータの安全装置は、複数の侵入抑制体部品で構成される侵入抑制体（６）を有し、複数の侵入抑制体部品は、おもりレール（５）に着脱可能な構造を有し、保守点検作業の際は、おもりレールに、昇降路の高さ方向に並べて取付けられ、保守点検作業が完了した後は、複数の侵入抑制体部品のうち、乗りかご（２）と干渉する位置関係にあるものは、取り外される。【選択図】図１
2014061980.tif 000002
【特許請求の範囲】
【請求項１】
昇降路内を昇降する乗りかごと、
前記乗りかごの昇降に応じて、前記乗りかごと反対方向に移動する釣合いおもりと、
前記乗りかごおよび前記釣合いおもり間に掛け渡される主ロープと、
前記乗りかごをガイドするかごレールと、
前記釣合いおもりをガイドするおもりレールと
を備えたエレベータに設置され、昇降路底部内で保守点検作業をする作業者が前記釣合いおもりの下方領域へ侵入することを抑制するエレベータの安全装置であって、
前記エレベータの安全装置は、
複数の侵入抑制体部品で構成される侵入抑制体を有し、
前記複数の侵入抑制体部品は、
前記おもりレールに着脱可能な構造を有し、
前記保守点検作業の際は、前記おもりレールに、前記昇降路の高さ方向に並べて取付けられ、
前記保守点検作業が完了した後は、前記複数の侵入抑制体部品のうち、前記乗りかごと干渉する位置関係にあるものは、前記おもりレールから取り外される、
ことを特徴とするエレベータの安全装置。
【請求項２】
請求項１に記載のエレベータの安全装置において、
前記複数の侵入抑制体部品は、
前記乗りかごと干渉しない位置に設置され、かつ前記おもりレールに固定されたブラケットに対して、切り欠き部を引っ掛けることで装着状態となり、前記ブラケットから前記切り欠き部を取り外すことで非装着状態となる着脱可能な構造を有するとともに、
前記保守点検作業が完了した後は、前記乗りかごと干渉しない位置関係にある、最下段に取り付けられた侵入抑制体部品に対して、前記最下段以外に取り付けられた侵入抑制体部品を重ねて取り付けられるように、前記複数の侵入抑制体部品のそれぞれが異なる形状を有して構成されている
ことを特徴とするエレベータの安全装置。
【請求項３】
請求項１に記載のエレベータの安全装置において、
前記複数の侵入抑制体部品は、
弾性を利用して、前記おもりレールにはめ込むことで装着状態となり、前記おもりレールに対するはめ込みを解除することで非装着状態となる着脱可能な構造を有するとともに、
前記保守点検作業の際は、前記おもりレールに昇降路の高さ方向に順次積み重ねて取付けられるように、前記複数の侵入抑制体部品のそれぞれが同一形状を有して構成されている
ことを特徴とするエレベータの安全装置。
【請求項４】
請求項１乃至３のいずれか１項に記載のエレベータの安全装置において、
前記複数の侵入抑制体部品の少なくとも１つに、前記釣合いおもりの下方領域の状況を、作業員が視認できることを目的とした穴または切欠きが設けられている
ことを特徴とするエレベータの安全装置。
【請求項５】
請求項１乃至４のいずれか１項に記載のエレベータの安全装置において、
前記エレベータの動作を統括制御するエレベータ制御部が、前記乗りかごと干渉する位置に設置される侵入抑制体部品の着脱状態に応じた運行制御を行うことを可能とするために、前記侵入抑制体部品の着脱状態を出力する検出スイッチをさらに有する
ことを特徴とするエレベータの安全装置。
【発明の詳細な説明】
【技術分野】
【０００１】
本発明は、エレベータの安全装置に係り、特に、昇降路底部で保守点検作業をする作業者が釣合いおもりの下方領域へ侵入することを抑制することで、作業者と釣合いおもりとの衝突を防ぐエレベータの安全装置に関するものである。
【背景技術】
【０００２】
昇降路底部で保守点検作業をする作業者が、釣合いおもりの下方領域へ侵入することを抑制するための従来技術としては、釣合いおもりのガイドレールの下方領域に侵入抑制体を設置する方法がある（例えば、特許文献１参照）。
【先行技術文献】
【特許文献】
【０００３】
【特許文献１】特開２００３−３４１９５０号公報
【発明の概要】
【発明が解決しようとする課題】
【０００４】
しかしながら、従来技術には、以下のような課題がある。
一般的なエレベータの構造においては、釣合いおもりのガイドレール（以下、おもりレールと略す）は、特許文献１の図１に示されるように、昇降路内の高さ方向で、乗りかごのガイドレール（以下、かごレールと略す）と平行、かつ隣り合うように設置される。
【０００５】
しかしながら、このような特許文献１の侵入抑制体は、乗りかごの通路と釣合いおもりの通路の間の隙間に設置される。このため、新たに侵入抑制体を設置するためのスペースを隙間部分に確保することが不可欠であり、昇降路平面寸法を大きく設計する必要があった。
【０００６】
また、特許文献１の図４に示されるように、侵入抑制体は、まず、ブラケットに固定され、さらに、このブラケットがおもりレールに固定されることになる。したがって、侵入抑制体は、２段階で固定されるため、固定部品数（ブラケット、ビス、ねじ、ボルト）が多くなり、このため、設置コストが高く、作業時間が長くなるという課題があった。
【０００７】
本発明は、上記のような課題を解決するためになされたものであり、エレベータの昇降路平面寸法の増大を抑制し、かつ、部品コストの削減および設置作業時間の短縮が可能な、エレベータの安全装置を得ることを目的とする。
【課題を解決するための手段】
【０００８】
本発明に係るエレベータの安全装置は、昇降路内を昇降する乗りかごと、乗りかごの昇降に応じて、乗りかごと反対方向に移動する釣合いおもりと、乗りかごおよび釣合いおもり間に掛け渡される主ロープと、乗りかごをガイドするかごレールと、釣合いおもりをガイドするおもりレールとを備えたエレベータに設置され、昇降路底部内で保守点検作業をする作業者が釣合いおもりの下方領域へ侵入することを抑制するエレベータの安全装置であって、エレベータの安全装置は、複数の侵入抑制体部品で構成される侵入抑制体を有し、複数の侵入抑制体部品は、おもりレールに着脱可能な構造を有し、保守点検作業の際は、おもりレールに、昇降路の高さ方向に並べて取付けられ、保守点検作業が完了した後は、複数の侵入抑制体部品のうち、乗りかごと干渉する位置関係にあるものは、おもりレールから取り外されるものである。
【発明の効果】
【０００９】
本発明におけるエレベータの安全装置によれば、侵入抑制体を、昇降路の高さ方向で分割可能な複数の侵入抑制体部品で構成するとともに、乗りかごと干渉する上段の侵入抑制体部品を、着脱可能とすることで、エレベータの昇降路平面寸法の増大を抑制し、かつ、部品コストの削減および設置作業時間の短縮が可能な、エレベータの安全装置を得ることができる。
【図面の簡単な説明】
【００１０】
【図１】本発明の実施の形態１におけるエレベータの昇降路底部の平面断面図である。
【図２】本発明の実施の形態１におけるエレベータの昇降路底部の側面断面図である。
【図３】本発明の実施の形態１における侵入抑制体の側面図である。
【図４】本発明の実施の形態１における侵入抑制体の平面図である。
【図５】本発明の実施の形態１における侵入抑制体の収納時の側面図である。
【図６】本発明の実施の形態２における侵入抑制体の平面図である。
【図７】本発明の実施の形態２における侵入抑制体の正面図である。
【図８】本発明の実施の形態２における侵入抑制体の着脱時の平面図である。
【図９】本発明の実施の形態２における図８とは異なる侵入抑制体の着脱時の平面図である。
【図１０】本発明の実施の形態３における侵入抑制体の正面図である。
【図１１】本発明の実施の形態４における侵入抑制体の正面図である。
【図１２】本発明の実施の形態４における侵入抑制体の正面拡大図である。
【図１３】本発明の実施の形態４における侵入抑制体の平面拡大図である。
【発明を実施するための形態】
【００１１】
以下、本発明におけるエレベータの安全装置の好適な実施の形態につき図面を用いて説明する。なお、各図において同一、または、相当する部分については、同一符号を付して説明する。
【００１２】
実施の形態１．
図１は、本発明の実施の形態１におけるエレベータの昇降路底部の平面断面図である。また、図２は、本発明の実施の形態１におけるエレベータの昇降路底部の側面断面図である。
【００１３】
図１、図２に示すエレベータは、昇降路１、乗りかご２、釣合いおもり３、かごレール４、おもりレール５、侵入抑制体６、ブラケット７（１）〜７（３）、ピン７１、および固定クリップ７２で構成される。
【００１４】
ここで、本実施の形態１におけるエレベータの安全装置は、侵入抑制体６と、ブラケット７（１）〜７（３）、ピン７１、および、固定クリップ７２で構成される。また、侵入抑制体６は、複数の侵入抑制体部品６ａ（１）、６ａ（２）で構成される。
【００１５】
なお、本願発明では、侵入抑制体６が、複数の侵入抑制体部品６ａで構成されている点を１つの技術的特徴としている。ただし、以降の具体的な説明に用いる図においては、説明を単純化かつ具体化するために、侵入抑制体６は、侵入抑制体部品６ａ（１）、６ａ（２）の２つで構成されるものとする。
【００１６】
まず、作業者が昇降路底部で保守点検作業をするときの、侵入抑制体６の設置方法を、図１と図２を用いて説明する。
【００１７】
昇降路１内の、乗りかご２は、かごレール４にガイドされて昇降する。また、釣合いおもり３は、おもりレール５にガイドされ、乗りかご２の昇降に応じて乗りかご２と反対方向に移動する。
【００１８】
ブラケット７は、図１に示すように、固定クリップ７２を介して、一対のおもりレール５の外縁部に固定される。さらに、侵入抑制体部品６ａは、このブラケット７のピン７１に引っ掛けることで、ブラケット７を介して、おもりレール５に取付けられる。
【００１９】
また、複数の侵入抑制体部品６ａ（１）、６ａ（２）は、図２に示すように、乗りかご２の通路と釣合いおもり３の通路の間の隙間の下方領域に、昇降路１の高さ方向に並べて取付けられる。
【００２０】
したがって、侵入抑制体６の取付け位置と高さは、ブラケット７の取付け位置と、使用される侵入抑制体部品６ａの個数によって決定される。
【００２１】
このように、侵入抑制体６を、おもりレール５の下方領域に設置することで、昇降路底部で保守点検作業をする作業者が、釣合いおもり３の下方領域へ侵入することを抑制し、作業者と釣合いおもり３との衝突を防ぐことができる。
【００２２】
次に、作業者が保守点検作業を開始または終了するときの、侵入抑制体６の着脱方法を説明する。
【００２３】
図１に示すように、乗りかご２と釣合いおもり３の間には、水平方向の隙間ｘを設けてある。この隙間ｘには、以下に説明する２つの役割がある。
【００２４】
１つめの役割は、乗りかご２と釣合いおもり３との干渉を防ぐことである。乗りかごの水平方向の最大揺れ幅をｘ１、釣合いおもり３の水平方向の最大揺れ幅をｘ２とすると、これらの間の水平方向の隙間ｘは、乗りかご２と釣合いおもり３との干渉を防ぐために、下式（１）を満たす必要がある。
ｘ＞ｘ１＋ｘ２                                                          （１）
【００２５】
２つめの役割は、侵入抑制体６を設置するためのスペースを確保することである。侵入抑制体を設置する場合の、乗りかご２と釣合いおもり３の間に必要な隙間ｘは、上記の場合よりさらに大きくなり、侵入抑制体６の厚みをｘ３とすると、さらに下式（２）を満たす必要がある。
ｘ＞ｘ１＋ｘ２＋ｘ３                                                    （２）
【００２６】
しかしながら、上式（２）の関係を満たすためには、侵入抑制体６の厚みｘ３の分だけ、昇降路平面寸法を広くしなければならない。逆に、昇降路平面寸法を広くせず、上式（１）の関係は満たすが上式（２）の関係は満たさない場合には、侵入抑制体６が、乗りかご２あるいは釣合いおもり３と干渉してしまう位置関係になってしまう。図１、図２は、このような干渉が発生する場合の、侵入抑制体６と、乗りかご２または釣合いおもり３との位置関係を、誇張して分かり易く描いたものである。
【００２７】
したがって、図１において、乗りかご２が水平方向に最大限揺れた場合は、侵入抑制体６は、乗りかご２と干渉する位置関係にある。実際には、図２に示すように、乗りかご２が昇降路底部に降りてきたときに、上段の侵入抑制体部品６ａ（２）が、乗りかご２と干渉することになる。
【００２８】
ここで、本実施の形態１によれば、侵入抑制体６を、昇降路１の高さ方向で分割可能な複数の侵入抑制体部品６ａ（１）、６ａ（２）で構成している。したがって、乗りかご２と干渉する上段の侵入抑制体部品６ａ（２）を、容易に着脱可能とすることで、上式（２）の関係を満たすまで昇降路平面寸法を広くしない場合にも、侵入抑制体６と、乗りかご２との水平方向の干渉を適切に回避することができる。以下、その方法を、より具体的に説明する。
【００２９】
図３は、本発明の実施の形態１における侵入抑制体６の側面図である。また、図４は、本発明の実施の形態１における侵入抑制体６の平面図である。
【００３０】
図３、図４に示すように、ブラケット７は、ピン７１を有し、侵入抑制体部品６ａ（１）、６ａ（２）は、ピン７１に対応して切欠き部を有している。この結果、侵入抑制体部品６ａは、切欠き部が、ピン７１に引っ掛けられることで、おもりレール５への着脱が容易にできる構造となっている。
【００３１】
このように、侵入抑制体部品６ａを、ピン７１に引っ掛けられる構造とすることで、作業者は、ビス、ねじ、ボルト等の締結用部品を用いずに、侵入抑制体部品６ａを、おもりレール５に着脱できるようになる。この結果、部品コストの削減および設置作業時間の短縮が可能となる。
【００３２】
また、このように、侵入抑制体部品６ａを、着脱が容易な構造とすることで、作業者が保守点検作業を完了した後は、侵入抑制体部品６ａ（１）、６ａ（２）のうち、乗りかごと干渉するおそれのある上段の侵入抑制体部品６ａ（２）を取り外すといった運用が可能となる。この結果、先に挙げたように、上式（２）の関係を満たすまで昇降路平面寸法を広くしない場合にも、侵入抑制体６と乗りかご２の水平方向の干渉問題を回避することができる。
【００３３】
また、乗りかご２と釣合いおもり３の間の水平方向の隙間は、上式(１)の関係を満たした上で、ブラケット７を設置できる隙間があればよい。したがって、乗りかご２と釣合いおもり３の間の水平方向の隙間を、上式（２）の関係を満たすまで大きくする必要がない。この結果、侵入抑制体を設置することによるエレベータの昇降路平面寸法の増大を抑制することができる。
【００３４】
次に、作業者が保守点検作業を完了した後の、侵入抑制体６の収納方法を説明する。
【００３５】
図５は、本発明の実施の形態１における侵入抑制体６の収納時の側面図である。図５では、乗りかご２が昇降路底部の緩衝器２１を全圧縮して停止している状態を示している。すなわち、乗りかご２の位置は、この状態において最も低い位置になっている。
【００３６】
したがって、この状態で、図５に示すように、最下段の侵入抑制体部品６ａ（１）と乗りかご２との間に、昇降路１の高さ方向の隙間が確保できるように設計すれば、最下段の侵入抑制体部品６ａ（１）は、作業者が保守点検作業を完了した後も取り外す必要がない。
【００３７】
なお、図３、図４に示すように、上段の侵入抑制体部品６ａ（２）は、下段の侵入抑制体部品６ａ（１）よりも、侵入抑制体部品６ａ（１）の構成部材の厚さ分だけ大きく作られている。
【００３８】
このように、侵入抑制体部品６ａを段ごとに構成部材の厚さ分だけ異なる大きさとすることで、図３に示すように、２つの侵入抑制体部品６ａ（１）、６ａ（２）は、１つのブラケット７（２）を共用でき、使用するブラケット７の数を削減することができる。
【００３９】
さらに、このため、図５に示すように、作業者が保守点検作業を完了した後は、各段の侵入抑制体部品６ａを、最下段の位置に重ねて収納することができ、昇降路底部のスペースを有効に活用できる。
【００４０】
以上のように、実施の形態１によれば、侵入抑制体を、昇降路の高さ方向で分割可能な複数の侵入抑制体部品で構成するとともに、乗りかごと干渉する上段の侵入抑制体部品を、容易に着脱可能としている。この結果、侵入抑制体を設置することによるエレベータの昇降路平面寸法の増大を抑制し、かつ、部品コストの削減および設置作業時間の短縮が可能な、エレベータの安全装置を得ることができる。
【００４１】
なお、以上の説明では、最下段の侵入抑制体部品６ａ（１）については、乗りかご２と干渉しない位置に設置されるため、作業者が保守点検作業を完了した後でも取り外す必要はないとした。同様に、最下段の侵入抑制体部品６ａ（１）以外の、上段の侵入抑制体部品６ａについても、乗りかご２と干渉しないならば、作業が完了した後に取り外す必要はない。
【００４２】
また、以上の説明では、侵入抑制体部品６ａを容易に着脱可能とする方法として、ブラケット７に引っ掛ける構造を利用したものについて説明した。しかしながら、着脱方法は、この引っ掛ける方法に限定されない。取付けにビス、ねじ、ボルト等の部品を用いず、着脱が容易なものであれば、他の着脱方法を用いても同様の効果が得られる。
【００４３】
なお、侵入抑制体６を、昇降路１の床面から１８００ｍｍ程度の高さにまで設置すれば、昇降路底部で保守点検作業をする作業者が、釣合いおもりの下方領域へ侵入することを抑制することが可能と考えられる。
【００４４】
また、侵入抑制体６として１８００ｍｍ程度の高さが確保できない場合でも、ひざから腰程度（５００ｍｍ〜１０００ｍｍ）の高さがあれば、実際上、作業員に注意を喚起し、かつ物理的に侵入を抑制することができる。また、用いる侵入抑制体部品６ａの部品数も削減される。
【００４５】
実施の形態２．
本実施の形態２では、着脱を容易にするための一例として、侵入抑制体６に弾性をもたせ、この弾性を利用して一対のおもりレール５の外縁部に、挟み込むようにして侵入抑制体６を取付ける方法について説明する。これにより、先の実施の形態１における引っ掛け構造を採用した場合と同様に、取付けにビス、ねじ、ボルト等の締結用部品を用いずに、容易に着脱が可能なエレベータの安全装置を得ることができる。
【００４６】
図６は、本発明の実施の形態２における侵入抑制体６の平面図である。また、図７は、本発明の実施の形態２における侵入抑制体６の正面図である。まず、これら図６と図７を用いて、作業者が昇降路底部で保守点検作業をするときの、侵入抑制体６の設置方法を説明する。
【００４７】
本実施の形態２における侵入抑制体６は、複数の侵入抑制体部品６ｂで構成される。この侵入抑制体部品６ｂは、図６に示すように、両端のコの字形の侵入抑制体取付部６１を、一対のおもりレール５の外縁部に、挟み込むようにして取付けられる。
【００４８】
侵入抑制体６の最下段の侵入抑制体部品６ｂ（１）は、図７に示すように、昇降路１の床面、または、おもりレール５の固定部材の上、または、釣合いおもり３の緩衝器の固定部材の上に取付けられる。
【００４９】
なお、実施の形態２における侵入抑制体部品６ｂは、先の実施の形態１における侵入抑制体部品６ａとは違って、全て同じ大きさ、形状となっている。
【００５０】
このように、侵入抑制体部品６ｂを同じ大きさ、形状とすることにより、最下段以外の侵入抑制体部品６ｂは、図７に示すように、最下段の侵入抑制体部品６ｂ（１）の上に、昇降路１の高さ方向に積み重ねて設置することができる。
【００５１】
したがって、侵入抑制体６の取付け位置と高さは、使用される侵入抑制体部品６ｂの取付け位置と、積み上げ個数によって決定される。
【００５２】
また、このように、侵入抑制体６の取付けに当たって、ボルト等の部品を用いずに、容易に着脱が可能な構造とすることで、先の実施の形態１と同様に、部品コストの削減および設置作業時間の短縮が可能となる。
【００５３】
次に、作業者が保守点検作業を開始または終了するときの、侵入抑制体６の着脱方法を説明する。図８は、本発明の実施の形態２における侵入抑制体６の着脱時の平面図である。
【００５４】
侵入抑制体部品６ｂには、弾性のある材料を使用する。侵入抑制体部品６ｂを取付けるときは、図８に示すように、湾曲させて、両端のコの字形の侵入抑制体取付部６１を、一対のおもりレール５の外縁部に、挟み込むようにして取付ける。
【００５５】
侵入抑制体部品６ｂは、図８に示すようにして一対のおもりレール５の外縁部に取付けられることで、前後方向（図６の紙面上での上下方向に相当）と左右方向（図６の紙面上での左右方向に相当）の移動が制限される。
【００５６】
侵入抑制体部品６ｂを取り外す場合も、同様に、湾曲させて、両端のコの字形の侵入抑制体取付部６１を、一対のおもりレール５の外縁部から取り外す。取り外された侵入抑制体部品６ｂは、昇降路底部の乗りかご２、および釣合いおもり３と干渉のない場所に保管される（図示せず）。
【００５７】
このように、弾性を利用して、取付けにビス、ねじ、ボルト等の締結用部品を用いずに、容易に着脱が可能な構造とすることで、作業者が保守点検作業を開始または終了するときの侵入抑制体部品６ｂの着脱作業を、効率よく行うことができる。
【００５８】
以上のように、実施の形態２によれば、侵入抑制体として、弾性をもたせ、この弾性を利用して一対のおもりレールの外縁部に、挟み込むようにして取付ける構造を採用している。このような構造によっても、先の実施の形態１と同様の効果を得ることができる。
【００５９】
なお、図９は、本発明の実施の形態２における図８とは異なる侵入抑制体の着脱時の平面図である。以上の説明では、侵入抑制体６を、一対のおもりレールの外縁部に、挟み込むようにして取付けるものとした。しかしながら、図９のように、侵入抑制体６を、おもりレール５の外縁部に取付ける代わりに、内縁部にはめ込むようにして取付ける構造とすることも可能であり、この場合でも、同様の効果が得られる。
【００６０】
実施の形態３．
本実施の形態３では、侵入抑制体部品６ｃの正面部に切欠き６３を設けることにより、昇降路底部での作業をさらに効率よく行えるエレベータの安全装置を得る方法について説明する。
【００６１】
図１０は、本発明の実施の形態３における侵入抑制体６の正面図である。この図１０を用いて、侵入抑制体６の使用方法を説明する。図１０では、侵入抑制体６を構成する複数の侵入抑制体部品６ｃの正面部に、切欠き６３を設けている。
【００６２】
侵入抑制体部品６ｃをこのような構造にすることにより、作業者は、侵入抑制体６に覆われて見えなかった下方領域に設けられる機器の位置関係、例えば、緩衝器２１の状態や、釣合いおもり３と緩衝器２１との位置関係等の状況を視認できるようになる。したがって、作業者は、保守点検作業時に侵入抑制体６に視界を塞がれること無く、必要な機器の位置関係を視認することができる。そのため、下方領域に設けられる機器の位置関係を確認する為に侵入抑制体６を一時的に取り外す必要がなく、効率よく作業を行うことができる。
【００６３】
以上のように、実施の形態３によれば、侵入抑制体部品の正面部に切欠きを設けている。この結果、釣合いおもりの下方領域の状況を視認可能とした上で、昇降路底部での作業を効率よく行えるエレベータの安全装置を得ることができる。
【００６４】
なお、図１０においては、切欠き６３は、侵入抑制体部品６ｃの正面部の下部に１箇所のみ設けているが、作業者が釣合いおもり３の下方領域を視認できるならば、どのような切欠きの形状、配置、個数であっても同様の効果が得られる。
【００６５】
実施の形態４．
先の実施の形態１乃至３では、昇降路底部で保守点検作業をする作業者と釣合いおもり３との衝突を防ぐために、おもりレール５の下方領域に侵入抑制体６を設置する方法を説明した。
【００６６】
しかしながら、この方法では、作業者が自主的に侵入抑制体６を取り外して、おもりレール５の下方領域に侵入することを完全に抑制することはできない。
【００６７】
そこで、本実施の形態４では、侵入抑制体部品６ｂの着脱状態を検知するための検出スイッチ８を備え付け、侵入抑制体６が設置されていない場合には、釣合いおもり３を下方領域に降下させないように制御する方法について説明する。これにより、作業者と釣合いおもり３との衝突を未然に防ぐことができるエレベータの安全装置を得ることができる。
【００６８】
図１１は、本発明の実施の形態４における侵入抑制体６の正面図である。図１１に示すように、侵入抑制体部品６ｂは、おもりレール５に取付けられたことを検出するための検出スイッチ８を有している。
【００６９】
図１２は、本発明の実施の形態４における侵入抑制体６の正面拡大図である。また、図１３は、本発明の実施の形態４における侵入抑制体６の平面拡大図である。これら図１２および図１３は、図１１の検出スイッチ８の部分を拡大した図となっている。
【００７０】
図１２に示す検出スイッチ８は、侵入抑制体部品６ｂがおもりレール５に取付けられる際に、おもりレール５によって押し込まれることでスイッチが入る仕組みになっている。したがって、エレベータの動作を統括制御するエレベータ制御部（図示せず）は、この検出スイッチ８を調べることで、侵入抑制体部品６ｂのおもりレール５への取付け状況を知ることができる。
【００７１】
エレベータ制御部は、侵入抑制体６を構成する侵入抑制体部品６ｂが、おもりレール５に取付けられていない場合には、予め設定した高さより下方へ釣合いおもり３が降下することを制限することができる。
【００７２】
このようにエレベータを制御することで、たとえ、作業者が自主的に侵入抑制体６を取り外して、おもりレール５の下方領域に侵入したとしても、作業者と釣合いおもり３との衝突を未然に防ぐことができる。
【００７３】
以上のように、実施の形態４によれば、侵入抑制体部品の着脱状態を検出するための検出スイッチを備え付け、侵入抑制体が設置されていない場合には、釣合いおもりを下方領域に降下させないように制御している。この結果、先の実施の形態１〜３の効果に加え、作業者と釣合いおもりとの衝突を未然に防ぐことができるエレベータの安全装置を得ることができる。
【００７４】
なお、以上の説明では、検出スイッチ８は、侵入抑制体６に設置されるとした。しかしながら、検出スイッチ８の設置場所は、この場所に限定されない。例えば、検出スイッチ８をおもりレール５側に設置することも可能であり、この場合でも、同様の効果が得られる。
【００７５】
また、以上の説明では、検出スイッチ８は、おもりレール５により、押し込まれることで、スイッチが入るものとした。しかしながら、本発明における侵入抑制体６の検出方法は、この方法に限定されない。例えばコの字形の部分に赤外線センサまたは磁気センサを取付けることでも同様の効果が得られる。
【００７６】
また、以上の説明では、エレベータの動作を統括制御するエレベータ制御部は、侵入抑制体部品６ｂの着脱状況に応じて、予め設定した高さより下方へ釣合いおもり３が降下することを制限するものとしたが、これ以外にも、スピードを遅くする、あるいは警報を鳴らすといった制御を行うことも可能である。
【符号の説明】
【００７７】
１  昇降路、２  乗りかご、２１  緩衝器、３  釣合いおもり、４  かごレール、５  おもりレール、６  侵入抑制体、６ａ  侵入抑制体部品、６ｂ  侵入抑制体部品、６ｃ  侵入抑制体部品、６１  侵入抑制体取付部、６２  侵入抑制体取付部、６３  切欠き、７  ブラケット、７１  ピン、７２  固定クリップ、８  検出スイッチ。
【図１】
2014061980.tif 000003
【図２】
2014061980.tif 000004
【図３】
2014061980.tif 000005
【図４】
2014061980.tif 000006
【図５】
2014061980.tif 000007
【図６】
2014061980.tif 000008
【図７】
2014061980.tif 000009
【図８】
2014061980.tif 000010
【図９】
2014061980.tif 000011
【図１０】
2014061980.tif 000012
【図１１】
2014061980.tif 000013
【図１２】
2014061980.tif 000014
【図１３】
2014061980.tif 000015